(57)【特許請求の範囲】
【請求項１】
床面から起立する状態と床面下に埋め込み収容される状態とに姿勢変化または形状変化可能な巻き芯ポールを設け、この巻き芯ポールに巻き付けられる幕体に遠赤外線面発熱体を設け、前記巻き芯ポールを起立させて前記幕体を広げた状態で幕体の先端を支持する幕体先端係合部材を設けた面発熱体装備建具。
【発明の詳細な説明】
【０００１】
【発明の属する技術分野】
この発明は、暖房器具としての機能を兼備する面発熱体装備建具に関する。
【０００２】
【従来の技術】
面発熱体を備える暖房器具として、マントルピースに面発熱体を埋め込んだもの、食卓テーブル等の家具に面発熱体を埋め込んだもの、床面に面発熱体を敷設したもの等が知られている。
【０００３】
【発明が解決しようとする課題】
しかし、面発熱体をマントルピースや家具に埋め込んだものは、発熱面積が小さくなるので、広い部屋等の暖房には不向きであり、また面温度を高くする必要があってストーブのような使用になり、快適な暖房が行い難い。また、運転コストも高くなる。床面に面発熱体を敷設するものは、足回りの暖房にはなるが、放射暖房に適した温度まで上げることはできず、部屋空間全体を暖房するには不十分である。
【０００４】
この発明は、このような課題を解消するものであり、快適な暖房が行え、運転コストも易くでき、また場所を取らずに広い部屋空間でも十分に暖房できる面発熱体装備建具を提供することを目的とする。
【０００８】
【課題を解決するための手段】
この発明の面発熱体装備建具は、床面から起立する状態と床面下に埋め込み収容される状態とに姿勢変化または形状変化可能な巻き芯ポールを設け、この巻き芯ポールに幕体を巻き付け、前記幕体に遠赤外線面発熱体を設け、前記巻き芯ポールを起立させて前記幕体を広げた状態で幕体の先端を支持する幕体先端係合部材を設けたものである。
この構成によると、床面下から巻き芯ポールを引き出して起立させ、この巻き芯ポールに巻き付けた幕体を広げ、その先端を先端係合部材で支持することにより、遠赤外線面発熱体による幕体の表面からの放射暖房で、広い部屋空間でも快適に暖房できる。また、幕体は巻き芯ポールに巻き付け、この巻き芯ポールを床面下に収容できるため、設置場所を取らず、部屋空間を広く使用できる。
【０００９】
【発明の実施の形態】
図１および図２は面発熱体装備建具を襖に適用した第１の参考提案例の一部破断縦断面図および正面図を示す。この面発熱体装備建具１は、間仕切壁２の開口３を召合せ状態に閉じる２枚の各引き戸４の表面部に遠赤外線面発熱体５を設け、引き戸４の内部に潜熱の蓄熱材６を設けたものである。引き戸４の表面上縁には、遠赤外線面発熱体５の電極７が設けられている。引き戸４を案内する上側レールである鴨居８の内側には、引き戸４側の電極７に摺接して通電する電極９が設けられ、この電極９は、例えばＡＣ１００ボルトまたは２００ボルトの商用の電源１０に接続されている。なお、遠赤外線面発熱体５の電極７は引き戸４の両面下縁に設け、電極７に通電する電極９は引き戸４を案内する下側レールである敷居１１に設けても良い。
【００１０】
この面発熱体装備建具１によると、引き戸４の表面上縁の電極７と、これに摺接する鴨居８側の電極９とを介して遠赤外線面発熱体５への通電が行われるので、引き戸４の開閉に支障を来すことなく遠赤外線面発熱体５を発熱させることができる。部屋空間は、遠赤外線面発熱体５による引き戸４の広い表面から、遠赤外線の放射暖房が行われるので、快適な暖房が行え、広い部屋空間でも暖房できる。また、引き戸４の内部の蓄熱材６により潜熱が蓄熱されるので、熱効率が向上し、省エネ効果が得られる。遠赤外線面発熱体５は、自己温度制御性を利用し、例えば４０〜５０℃に温度が保たれるようにしておくことで、快適な効率の良い暖房が行える。
【００１１】
第２の参考提案例を図３および図４と共に説明する。
図３（Ａ）および図４はこの実施形態に係る面発熱体装備建具の一部破断縦断面図および正面図を示す。この面発熱体装備建具１Ａは、間仕切壁２の開口３を引違い状態に閉じる２枚の各引き戸４の表面部付近に遠赤外線面発熱体５を設け、引き戸４の内部に蓄熱材６を設けたものである。引き戸４は襖となるものである。図３（Ａ），（Ｂ）に示すように引き戸４の両面上縁には遠赤外線面発熱体５の電極７が設けられ、引き戸４を案内する上側レールである鴨居８の内側には、引き戸４側の電極７に摺接して通電する電極９が設けられている。この電極９が電源１０に接続されること、およびその他の構成は前記参考提案例と同じである。この構成の場合も、前記参考提案例と同様な快適な暖房効果等が得られる。
また、この参考提案例においても、遠赤外線面発熱体５の電極７を引き戸４の両面下縁に設け、電極７に通電する電極９を敷居１１に設けても良い。
【００１２】
第３の参考提案例を図５および図６と共に説明する。
図５（Ａ）および図６はこの実施形態に係る面発熱体装備建具の一部破断水平断面図および斜視図を示す。この面発熱体装備建具１Ｂは、建物内の間仕切壁２の開口３を開閉する開き戸１２の表面部付近に遠赤外線面発熱体５を設け、この開き戸１２の内部に蓄熱材６を設けたものである。開き戸１２の両面には化粧鋼板１３が設けられている。図５（Ｂ）に示すように、開き戸１２のヒンジ１４側の端面にはコード収容凹部１５Ａが設けられ、これに対向する開口３の開口枠における一側面にもコード収容凹部１５Ｂが設けられ、開き戸１２の遠赤外線面発熱体５を電源に接続する電源コード１６の途中に形成したスパイラル部１６ａが、上記両コード収容凹部１５Ａ，１５Ｂに跨がって収容されている。
【００１３】
この構成の面発熱体装備建具１Ｂの場合、遠赤外線面発熱体５を電源に接続する電源コード１６は、開き戸１２側と間仕切壁２側との間がスパイラル部１６ａとされているので、開き戸１２の開閉に支障を来すことなく遠赤外線面発熱体５に通電できる。暖房効果については、第１の参考提案例と同様である。
【００１４】
この発明の第４の参考提案例を図７および図８と共に説明する。
図７（Ａ）および図８はこの参考提案例に係る面発熱体装備建具の使用状態の縦断面図および斜視図を示す。この面発熱体装備建具１Ｃは、天井１７内に埋め込み設置された巻き芯１８と、この巻き芯１８に巻き取り可能とされて室内に引出し可能な巻き取り式の幕体１９と、この幕体１９に設けられた遠赤外線面発熱体５とで構成されている。遠赤外線面発熱体５の電極２０は、巻き芯１８内に配線される図示しない電源コードを介して電源１０に接続されている。天井１７内の巻き芯１８が埋め込まれる空間は金属製のケース２１によって囲まれている。
【００１５】
この構成の面発熱体装備建具１Ｃの場合、天井１７内から室内に幕体１９を引き出し、幕体１９の遠赤外線面発熱体５に通電すると、広い幕体１９の表面から遠赤外線が放射されるので、広い室内空間でも快適に暖房できる。また、幕体１９は天井１７内の巻き芯１８による巻き取り式であるため、設置場所を取らず、室内空間を広く使用できる。さらに、幕体１９を天井１７内から室内に引き出して使用する構成であるため、その保守点検も容易である。また、この面発熱体装備建具１Ｃを図８のように窓２２側に設置した場合には、幕体１９をブラインドカーテンとして使用することもできる。
【００１６】
この発明の第１の実施形態を図９および図１０と共に説明する。
図９（Ａ）および図１０はこの実施形態に係る面発熱体装備建具の収納状態の縦断面図および使用状態の縦断面図を示す。この面発熱体装備建具１Ｄは、床面２３から起立する状態と床面２３下に埋め込み収容される状態とに形状変化可能な巻き芯ポール２４と、この巻き芯ポール２４の上部に巻き付けられる幕体２５と、この幕体２５に設けられた遠赤外線面発熱体５と、巻き芯ポール２４を起立させて幕体２５を広げた状態で幕体２５の先端を支持する幕体先端係合部材２６とで構成されている。
【００１７】
巻き芯ポール２４は、順次入れ子状態に連結した複数本の円筒状ロッド２４ａ〜２４ｄからなる伸縮自在なものであり、床面２３下に設置した円筒状ケース２７内に突設され、最も短く収縮させた状態で、ケース２７内に収容可能とされる。巻き芯ポール２４の先端には、巻き芯ポール２４を伸縮操作する取手２８が設けられている。この巻き芯ポール２４に巻き付けられる幕体２５の先端にはバー２９が連結されており、このバー２９には幕体先端係合部材２６に係脱可能なフック３０が設けられている。
【００１８】
幕体先端係合部材２６も、順次入れ子状態に連結した複数本の円筒状ロッド２６ａ〜２６ｃからなる伸縮自在なものであり、床面２３下に設置した円筒状ケース３１内に突設され、最も短く収縮させた状態で、ケース３１内にほぼ収容可能とされる。幕体先端係合部材２６の先端には、幕体先端係合部材２６を伸縮操作する取手３２が設けられている。遠赤外線面発熱体５の電極は、巻き芯１８内を経て配線される電源コード３３を介して電源に接続される。
【００１９】
この構成の面発熱体装備建具１Ｄの場合、床面２３の下から巻き芯ポール２４および幕体先端係合部材２６を起立させ、巻き芯ポール２４から幕体２５を引き出し、その先端のバー２９に設けられたフック３０を幕体先端係合部材２６に係合させると、幕体２５が室内に垂直に広げた状態で支持される。この幕体２５の遠赤外線面発熱体５に通電すると、広い幕体２５の表面から遠赤外線が放射されるので、快適に、また広い室内空間でも容易に暖房できる。また、幕体２５は巻き芯ポール２４に巻き付け、巻き芯ポール２４を床面２３の下に収容できるので、設置場所を取らず、室内空間を広く使用できる。さらに、床面２３内から巻き芯ポール２４を起立させ、幕体２５を広げて使用する構成であるため、その保守点検も容易である。また、この面発熱体装備建具１Ｄを窓面の近くに設置した場合には、幕体２５をすき間風防止用として使用することもできる。
【００２０】
この発明の第２の実施形態を図１１ないし図１４と共に説明する。
図１１および図１２はこの実施形態に係る面発熱体装備建具の収納状態の一部破断斜視図および縦断面図を示す。この面発熱体装備建具１Ｅも、床面２３から起立する状態と床面２３下に埋め込み収容される横倒状態とに変化可能な巻き芯ポール３４と、この巻き芯ポール３４に巻き付けられる幕体２５と、この幕体２５に設けられた遠赤外線面発熱体５と、巻き芯ポール３４を起立させて幕体２５を広げた状態で幕体２５の先端を支持する幕体先端係合部材３６とで構成されている。
【００２１】
床面２３の下には、巻き芯ポール３４を横倒姿勢で収容するケース３７が設けられ、そのケース３７の底面の一端部に設けられたブラケット３８に、巻き芯ポール３４が支軸３９を介して起倒回動自在に支持されている。巻き芯ポール３４の先端には、巻き芯ポール３４を起倒操作する取手４０が設けられている。巻き芯ポール３４の基部３４ａのブラケット３８と接する一側面の複数箇所にはストッパ収容凹部４１が設けられ、これらのストッパ収容凹部４１には、ばね４２によりブラケット３８に押圧される先端が半球形のストッパ４３が各々収容されている。また、ブラケット３８の、巻き芯ポール３４の基部３４ａのストッパ配置面と対向する面には、巻き芯ポール３４が起立姿勢および横倒姿勢において、各ストッパ４３と係合する複数の係合凹部４４が設けられている。これにより、巻き芯ポール３４は起立姿勢と横倒姿勢において、ブラケット３８に安定良く保持される。
【００２２】
床面２３下のケース３７には、床面２３に開く開口を閉じる蓋体４５が開閉自在に設けられている。また、遠赤外線面発熱体５の電極は、巻き芯ポール３４内を経て配線される電源コード４６を介して電源に接続される。巻き芯ポール３４に巻き付けられる幕体２５の先端にバー２９が連結され、このバー２９に幕体先端係合部材３６に係脱可能なフック３０が設けられていることは図９および図１０に示した実施形態の場合と同様である。幕体先端係合部材３６は、ケース３７内のブラケット設置部と反対側の端部側面に起倒回動自在に支持されている。
【００２３】
この面発熱体装備建具１Ｅの場合も、床面２３から巻き芯ポール３４および幕体先端係合部材３６を起立させ、巻き芯ポール３４から幕体２５を引き出し、その先端のバー２９に設けられたフック３０を幕体先端係合部材３６に係合させることにより、幕体２５が室内に垂直に広げた状態で支持される。この幕体２５の遠赤外線面発熱体５に通電すると、広い幕体２５の表面から遠赤外線が放射されるので、快適に、かつ広い室内空間でも容易に暖房できる。設置場所を取らないことも先の実施形態の場合と同様である。
【００２４】
【発明の効果】
この発明の面発熱体装備建具は、床面から起立する状態と床面下に埋め込み収容される状態とに姿勢変化または形状変化可能な巻き芯ポールを設け、この巻き芯ポールに幕体を巻き付け、前記幕体に遠赤外線面発熱体を設け、前記巻き芯ポールを起立させて前記幕体を広げた状態で幕体の先端を支持する幕体先端係合部材を設けたため、遠赤外線面発熱体による広い幕体の表面からの放射熱で快適な暖房が行える。また、幕体は巻き芯ポールに巻き付けて床面下に収容できるため、設置場所を取らず、部屋空間を広く使用できる。
【図面の簡単な説明】
【図１】  第１の参考提案例に係る面発熱体装備建具の一部破断縦断面図である。
【図２】  同面発熱体装備建具の正面図である。
【図３】  （Ａ）は第２の参考提案例に係る面発熱体装備建具の一部破断縦断面図、（Ｂ）は同建具を構成する引き戸の部分斜視図である。
【図４】  同面発熱体装備建具の正面図である。
【図５】  （Ａ）は第３の参考提案例に係る面発熱体装備建具の一部破断水平断面図、（Ｂ）は同建具の要部拡大水平断面図である。
【図６】  同面発熱体装備建具の斜視図である。
【図７】  （Ａ）は第４の参考提案例に係る面発熱体装備建具の縦断面図、（Ｂ）は同建具の横断面図である。
【図８】  同面発熱体装備建具の使用状態を示す斜視図である。
【図９】  （Ａ）はこの発明の第１の実施形態に係る面発熱体装備建具の縦断面図、（Ｂ）は同建具の平面図である。
【図１０】  同面発熱体装備建具の使用状態を示す縦断面図である。
【図１１】  この発明の第２の実施形態に係る面発熱体装備建具の一部破断斜視図である。
【図１２】  同面発熱体装備建具の縦断面図である。
【図１３】  （Ａ）は同面発熱体装備建具の要部斜視図、（Ｂ）は同建具の要部の一部破断正面図、（Ｃ）は同建具における巻き芯ポールの器具の側面図である。
【図１４】  同面発熱体装備建具の一部破断正面図である。
【符号の説明】
１Ｄ，１Ｅ…面発熱体装備建具
１８…巻き芯
１９…幕体
２３…床面
２４…巻き芯ポール
２５…幕体
２６…幕体先端係合部材
３４…巻き芯ポール
３６…幕体先端係合部材
４５…幕体
【図１】
0003936432.tif 000002
【図２】
0003936432.tif 000003
【図３】
0003936432.tif 000004
【図４】
0003936432.tif 000005
【図５】
0003936432.tif 000006
【図６】
0003936432.tif 000007
【図７】
0003936432.tif 000008
【図８】
0003936432.tif 000009
【図９】
0003936432.tif 000010
【図１０】
0003936432.tif 000011
【図１１】
0003936432.tif 000012
【図１２】
0003936432.tif 000013
【図１３】
0003936432.tif 000014
【図１４】
0003936432.tif 000015